【手続補正書】
【提出日】平成17年6月24日(2005.6.24)
【手続補正１】
【補正対象書類名】明細書
【補正対象項目名】００１７
【補正方法】変更
【補正の内容】
【００１７】
【発明の実施の形態】
添付した図面に基づいて、本発明の実施の形態のカートリッジ式棒状化粧材繰出容器を詳細に説明する。
図１は、カートリッジ式棒状化粧材繰出容器１の縦一部断面図である。図２は、カートリッジ式棒状化粧材繰出容器１の前部キャップ４ａを取り外し、容器本体３とカートリッジ２を回動させ、棒状化粧材を前進限まで繰り出した状態を示すとともに、後部キャップ４ｂを取り外し、案内筒５０の突出部５４と外筒６０を回動して金具７２と刷毛７１とを有する化粧用具５を前進限まで繰り出した状態を示す図である。
【手続補正２】
【補正対象書類名】明細書
【補正対象項目名】００２０
【補正方法】変更
【補正の内容】
【００２０】
後に説明するが、本発明のカートリッジの構成は、カートリッジ２のみの構成にとどまらず、カートリッジ内に繰出機構を内蔵するすべてのカートリッジに対して、本発明は有効である。
【手続補正３】
【補正対象書類名】明細書
【補正対象項目名】００２１
【補正方法】変更
【補正の内容】
【００２１】
図３は、本発明に使用される第１のカートリッジ２の各部材を示すもので、先筒１０、芯チャック部材２０，回転体３０より構成され、先筒１０は先端に棒状化粧材が進退する先端開口孔１１を備え、軸方向に摘み部１０ａと、容器本体３へ挿入される嵌入部１０ｂよりなり、使用者は摘み部１０ａと容器本体３の回動をもってカートリッジ２を使用する。
【手続補正４】
【補正対象書類名】明細書
【補正対象項目名】００３０
【補正方法】変更
【補正の内容】
【００３０】
また、内径はカートリッジ２のカートリッジ装着部４８を形成し、内径前部にカートリッジ２を係留する嵌合凹部４１を設け、腔部４９の底面より駆動部４４が立設されて、カートリッジ２内の繰出機構に働きかけている。
【手続補正５】
【補正対象書類名】明細書
【補正対象項目名】００３１
【補正方法】変更
【補正の内容】
【００３１】
カートリッジ装着部４８とは、カートリッジ２が挿入される腔部４９をさすものである。
【手続補正６】
【補正対象書類名】明細書
【補正対象項目名】００３２
【補正方法】変更
【補正の内容】
【００３２】
カートリッジ式棒状化粧材繰出容器１においての駆動部４４は、腔部４９の底面より立設して、カートリッジ２の回転体３０後端内径に形成された本体容器係合部３１のローレット部３２に係合する。
【手続補正７】
【補正対象書類名】明細書
【補正対象項目名】００３９
【補正方法】変更
【補正の内容】
【００３９】
このように構成されたカートリッジ式棒状化粧材繰出容器１の作動を説明する。図１に示すカートリッジ式棒状化粧材繰出容器１の前部キャップ４ａを取り外し，既に容器本体３内に装着されたカートリッジ２の先筒１０の摘み部１０ａと外筒６０を相対的に回動すると、カートリッジ２の回転体３０の本体容器係合部３１に設けたローレット部３２に外筒６０内の駆動部４４に形成したリブ４４ａが前記ローレット部３２にスプライン係合しているので回転体３０が回動すると、芯チャック部材２０は腔部２４に螺刻された螺旋溝２２に回転体３０の螺合突起３６が螺合して螺合機構を構成するとともに、芯チャック部材２０後端外径に形成した係合突起２３が、先筒１０の縦溝１５に係合して回転止め機構が働き、芯チャック部材２０は化粧材保持部２１に棒状化粧材Ａを保持した状態で縦溝１５に沿って進出し、化粧を可能とする。
【手続補正８】
【補正対象書類名】明細書
【補正対象項目名】００５３
【補正方法】変更
【補正の内容】
【００５３】
図８，図９，そして図１０は、本発明の第２の実施の形態を示す図であり、図８はカートリッジ式棒状化粧材繰出容器１０１の縦一部断面図である。カートリッジ１０２を収容するとともに、化粧用具保持筒１７０を軸方向に進退させる繰出機構を有する容器本体１０３より構成される。
【手続補正９】
【補正対象書類名】明細書
【補正対象項目名】００５５
【補正方法】変更
【補正の内容】
【００５５】
図９はカートリッジ式棒状化粧材繰出容器１０１に使用されるカートリッジ１０２の各部材を示す図であり、図１０は容器本体１０３の各部材を示す図である。
【手続補正１０】
【補正対象書類名】明細書
【補正対象項目名】００５６
【補正方法】変更
【補正の内容】
【００５６】
カートリッジ式棒状化粧材繰出容器１０１もカートリッジ式棒状化粧材繰出容器１と使用方法は同様で、前部キャップ１０４ａ（アイブロウ等では必要ない）を取り外し、カートリッジ１０２と外筒１６０の回動をもって棒状化粧材Ｂの進退を行うとともに、後部キャップ１０４ｂを取り外し、外筒１６０と案内筒１５０の突出部１５４の回動で、化粧用具（刷毛１７１・金具１７２）を進退させ、使用するものである。
【手続補正１１】
【補正対象書類名】明細書
【補正対象項目名】００５７
【補正方法】変更
【補正の内容】
【００５７】
図９より第２実施例のカートリッジ１０２を詳細に説明する。
カートリッジ１０２は、先端開口孔１１１を備える先筒１１０と、この先筒１１０の基部に回動可能に連結される回転体１３０と、この中に内挿される芯チャック部材１２０と、この芯チャック部材１２０の前進限を決定するストッパー部材１９０より構成され、先筒１１０は、内部に軸方向に摺動溝１１５を配し、後部腔部に設けた凹溝１１４に回転体１３０の嵌合凸部１３７が回動可能に嵌着してカートリッジ１０２の外観をなすため、カートリッジ１０２の摘み部１１０ａは先筒１１０の全長となり、また、容器本体１０３への嵌入部１３０ｂは回転体１３０の螺旋部１３５をのぞいた長さとなっている。
【手続補正１２】
【補正対象書類名】明細書
【補正対象項目名】００６６
【補正方法】変更
【補正の内容】
【００６６】
また、容器本体１０３の外観は、外筒１６０より構成され、カートリッジ１０２の嵌入部１３０ｂが挿入される。
【手続補正１３】
【補正対象書類名】明細書
【補正対象項目名】００６７
【補正方法】変更
【補正の内容】
【００６７】
カートリッジ装着部１６８は腔部１６９として形成され、カートリッジ１０２の回転体１３０に設けたＯリング溝１３３に巻装されたＯリングが当接する内壁が駆動部１６４として働き、容器本体１０３の回動は、この駆動部１６４よりカートリッジ１０２の回転体１３０に摩擦抵抗によって、伝達されることがカートリッジ式棒状化粧材繰出容器１とは異なる特徴である。
【手続補正１４】
【補正対象書類名】明細書
【補正対象項目名】００６８
【補正方法】変更
【補正の内容】
【００６８】
図１１，図１２は、本発明の第３の実施の形態を示す図である。図１１に示すように、ここに使用されるカートリッジ２０２は第２の実施の形態であるカートリッジ１０２と全く同様の構成であり、回転体２３０にはＯリングを使用せず、回転体２３０後部に係合リブ２３０ｃを形成し、これに対応する容器本体２０３内に駆動部２６４としてローレット２６４ｃを設けてカートリッジ２０２の繰出機構に働きかけることを特徴とするほか、容器本体２０３側の構成を大きく違ったものとしている。
【手続補正１５】
【補正対象書類名】明細書
【補正対象項目名】００７０
【補正方法】変更
【補正の内容】
【００７０】
容器本体２０３は、外筒２６０と案内筒２５０によって外観が構成され、外筒２６０はカートリッジ２０２の嵌入部を挿入するためのカートリッジ装着部２０８が穿設されるとともに、カートリッジ２０２を係留する前部凹溝２６３ａを備えた円筒体として形成され、外観下部は、案内筒２５０を回動可能に連結する凸部２６３ｂが設けられ、有底な底部より棒軸２６８が延設され、この棒軸２６８表面には左螺旋２６０Ａが形成される。
【手続補正１６】
【補正対象書類名】明細書
【補正対象項目名】００７１
【補正方法】変更
【補正の内容】
【００７１】
また、腔部２６９下部より駆動部２６４が底面壁側にローレット２６４ｃとして設けられ、カートリッジ２０２の回転体２３０の係合リブ２３０ｃにスプライン係合して回転体２３０を駆動させる働きを持つ。
【手続補正１７】
【補正対象書類名】明細書
【補正対象項目名】００７３
【補正方法】変更
【補正の内容】
【００７３】
内挿される化粧用具保持筒２７０は、刷毛２７１を固着した金具２７２を固定した小径円筒部２７４，大径円筒部２７３，小径円筒部２７４’より構成され、小径円筒部２７４内径に前記外筒２６０の棒軸２６８表面の左螺旋２６０Ａと係合する係合突起２７０ａが配されるとともに、大径円筒部２７３外径に係合突起２７０ｂを設けて、前記案内筒２５０内径の右螺旋２５０Ｂに係合して繰出機構としている。
【手続補正１８】
【補正対象書類名】明細書
【補正対象項目名】００７４
【補正方法】変更
【補正の内容】
【００７４】
案内筒２５０内の右螺旋２５０Ｂと外筒２６０の左螺旋２６０Ａは、同リードの右螺旋左螺旋として形成されるため、係合突起２７０ａ、係合突起２７０ｂで螺合する化粧用具保持筒２７０は、外筒２６０と案内筒２５０の回動によって化粧用具保持筒２７０をそれぞれの有するリードの半分のリードで回転しながら軸方向に摺動することで、化粧用具（刷毛２７１・金具２７２）の使用を可能とする。
【手続補正１９】
【補正対象書類名】明細書
【補正対象項目名】００７５
【補正方法】変更
【補正の内容】
【００７５】
第３の実施の形態のカートリッジ式棒状化粧材繰出容器２０１は、カートリッジ２０２を装着し、カートリッジ２０２の摘み部２１０ａと容器本体２０３を回動することで、前記メカニズムによってカートリッジ２０２内の棒状化粧材Ｃが進退するとともに、外筒２６０と案内筒２５０の回動をもって、化粧用具保持筒２７０を進退させ、これを使用可能とし、不必要なときは、これを案内筒２５０内に格納してカートリッジ式棒状化粧材繰出容器２０１の全長を短くして、携帯に便利な化粧容器を提供しようとするものである。